(57)【要約】      （修正有）【課題】略全面に金属光沢を有した包装体用広告表示シートを、箔押しに比べて低コストで製造することができる包装体用広告表示シートを提供する。【解決手段】透明な合成樹脂からなり、表面または裏面に広告が印刷された基材シート１１の裏面に、透明な合成樹脂からなり、表面全体または裏面全体に金属蒸着膜が形成された金属蒸着フィルム１３、または、金属蒸着フィルムの金属蒸着膜がパスター加工されたパスターフィルム１３Ａを積層した。【選択図】図１
0003169720.tif 000002
【実用新案登録請求の範囲】
【請求項１】
商品を包装する包装体用広告表示シートにおいて、
透明な合成樹脂からなり、表面または裏面に広告が印刷された基材シートの裏面に、透明な合成樹脂フィルムの表面全体または裏面全体に金属蒸着膜が形成された金属蒸着フィルム、または、該金属蒸着フィルムの金属蒸着膜がパスター加工されたパスターフィルムが積層されたことを特徴とする包装体用広告表示シート。
【請求項２】
前記金属蒸着膜は、アルミニウム蒸着膜である請求項１に記載の包装体用広告表示シート。
【請求項３】
前記基材シートの前記金属蒸着膜との対峙部分に黄色の印刷を施した請求項２に記載の包装体用広告表示シート。
【考案の詳細な説明】
【技術分野】
【０００１】
本考案は、包装体用広告表示シート、詳しくは商品を梱包するための包装体用広告表示シートに関する。
【背景技術】
【０００２】
例えば、ヘアシャンプーやヘアコンディショナーを１枚の透明な合成樹脂シートからなる包装体用広告表示シートを折り曲げて形成した包装体により包装し、店舗の陳列棚などに陳列している。その際、商品のデザイン性を高めて高級感を与えるため、包装体に金や銀の箔押しを行い、顧客の購買意欲をそそる手法が知られている。例えば、広告表示シートに金色の部分を強調するためには、包装袋の金色部分の箇所のみに裏面側よりアルミニウムの箔押しをし、この部分を表から黄色に印刷すると、この箇所が金色に輝く。また、アルミニウムの箔押し部分に何も印刷しない場合は、鮮やかな銀色に輝くというものである。しかしながら、このように、金色や銀色を強調すするために、アルミニウムなどでその箇所のみに箔押しせねばならず、コストがかかる。すなわち、ここでの箔押しは、包装体用広告表示シートの裏面側に、裏面に接着剤を塗布した真空蒸着箔を配置し、その上から加熱した金属からなる版を押し付けることで、接着剤を版からの熱で活性化し、材料に真空蒸着箔を転写するものである。そのため、押型となる版の製作コストなどが嵩み、コスト高となっていた。
【考案の概要】
【考案が解決しようとする課題】
【０００３】
本考案は、上記問題点に鑑みてなされたもので、略全面に金属光沢を有した包装体用広告表示シートを、箔押しに比べて低コストで製造することができる包装体用広告表示シートを提供することを目的としている。
【課題を解決するための手段】
【０００４】
本考案の包装体用広告表示シートは、商品を包装する包装体用広告表示シートにおいて、透明な合成樹脂からなり、表面または裏面に広告が印刷された基材シートの裏面に、透明な合成樹脂フィルムの表面全体または裏面全体に金属蒸着膜が形成された金属蒸着フィルム、または、該金属蒸着フィルムの金属蒸着膜がパスター加工されたパスターフィルムが積層されたことを特徴とする包装体用広告表示シートである。
【０００５】
また、本考案の包装体用広告表示シートは、前記金属蒸着膜がアルミニウム蒸着膜である請求項１に記載の包装体用広告表示シートである。
【０００６】
さらに、本考案の包装体用広告表示シートは、前記基材シートの前記金属蒸着膜との対峙部分に黄色の印刷を施した請求項２に記載の包装体用広告表示シートである。
【０００７】
ここで、商品としては、例えばヘアシャンプーやヘアリンス、酒類、飲料水、薬剤（例えば輸液）、菓子（例えばスナック）、雑貨類、釣具、備品などを採用することができる。包装される商品は、例えばボトル容器に収納（充填）されても、袋詰めされたものでも、形態は特に規定はない。また包装される商品の総個数は任意である。
ここでいう包装体用広告表示シートとは、販売する商品を梱包し、商品の情報、期間限定のキャンペーン、イベント企画、企業イメージなどを表示したシートである。包装体用広告表示シートの大きさは任意である。
包装体用広告表示シートの梱包形状は特に限定されない。例えば、矩形箱形状、円筒形状、楕円筒形状などを採用することができる。
【０００８】
基材シートの素材としては、例えばポリアミド、ポリプロピレン、ポリエチレン、ゴム強化スチレン系樹脂（ＡＢＳ）、ポリカーボネート、ポリエチレンテレフタレート、ポリブチレンテレフタレート、ポリフェニレンサルファイドなどの熱可塑性合成樹脂を採用することができる。熱可塑性合成樹脂は、基材シートが湾曲可能なように軟質のものである。
基材シートは、その表面または裏面に印刷された広告と、金属蒸着膜とが観えるように、透明でなければならない。
【０００９】
基材シートには、太陽光線や紫外線の透過による印刷インクの褪色および印刷面の光沢低下を防止するため、ベンゾトリアゾール系、トリアジン系などの各種の紫外線吸収剤を添加してもよい。また、ヒンダートアミン系などの光安定剤を配合することで耐光性を高めてもよい。
また、静電気による塵埃付着を防止するため、基材シートの原料中に帯電防止剤を練り込むか、基材シートの表面に帯電防止剤をコーティングしてもよい。帯電防止剤としては、カチオン系帯電防止剤、アニオン系帯電防止剤、ポリエーテル系帯電防止剤などが挙げられる。
【００１０】
基材シートの表面または裏面への広告の印刷方法としては、例えばオフセット印刷、凹版印刷、スクリーン印刷、凸版印刷、グラビア印刷、フレキソ印刷などを採用することができる。
基材シートの厚さは１５０〜１，０００μｍ、好ましくは２００〜４００μｍである。１５０μｍ未満では、薄すぎて強度が出ず、梱包材として使用し難い。一方、１，０００μｍを超えると、得られるシートの重量が重過ぎて実用的でなく、また経済的でもない。
【００１１】
金属蒸着フィルムの素材としては、例えば、ポリエチレンテレフタレート、ポリプロピレンテレフタレート、ポリブチレンテレフタレートなどのポリエステルを採用することができる。そのほか、延伸ポリプロピレンなど、透明な合成樹脂フィルムであれば特に限定されない。
合成樹脂フィルムの厚さは、通常、１２〜１００μｍ、好ましくは１２〜５０μｍ、さらに好ましくは１２μｍ前後である。
【００１２】
金属蒸着膜の素材としては、例えばアルミニウムなどが採用されるが、そのほかクロム、亜鉛、金、銀、プラチナ、ニッケルなどが挙げられ、これらの金属に限定されるものではない。金属蒸着膜の素材として、アルミニウムを採用すると、得られるシートにおける図柄中に、この部分が鮮やかな銀色として再現されて箔押しと同等の効果が得られる。金属蒸着膜の厚さは、通常、０．０１〜５μｍ程度であるが、この厚みに限定されるものではない。
金属蒸着膜の蒸着方法としては、例えば、抵抗加熱蒸着法、電子ビーム加熱蒸着法、高周波誘導加熱蒸着法、レーザ加熱蒸着法などを採用することができる。蒸着材料としては、上記したようにアルミニウム、クロム、亜鉛、金、銀、プラチナ、ニッケルなどを採用することができる。
【００１３】
パスター加工方法とは、金属蒸着膜の上から必要パターン領域のみを、ニスなどの耐アルカリ性塗膜により覆い、蒸着金属膜をカセイソーダなどのアルカリエッチング液により腐食溶解させることで、パターン化された金属蒸着膜を得る方法である。その他のパスター加工方法としては、蒸着前に金属蒸着フィルムの必要パターン領域以外のみに水溶性の被膜を形成し、蒸着後に不要領域の水溶性の被膜とともに不要領域の金属蒸着膜を水洗除去することでパターン化された金属蒸着膜を得る方法が知られている。いずれも周知の技術である。
所定パターンの二ス層を形成する方法としては、グラビア印刷、フレキソ印刷、シルクスクリーン印刷などを用いることができる。
パスター加工による金属蒸着膜のパターンの形状、形成数、形成範囲は任意である。
【考案の効果】
【００１４】
請求項１に記載の本考案の包装体用広告表示シートによれば、広告を表面または裏面に印刷した透明な合成樹脂からなる基材シートの裏面に、表面全体または裏面全体に金属蒸着膜を有した透明な金属蒸着フィルムを積層するか、この金属蒸着膜をパスター加工したパスターフィルムを積層することにより包装体用広告表示シートを設けた。これにより、略全面に金属光沢を有した包装体用広告表示シートを、箔押しに比べて低コストで製造することができる。
【００１５】
特に、請求項２に記載の本考案の包装体用広告表示シートによれば、金属蒸着膜をアルミニウム蒸着膜としたので、簡単かつ低コストで金属蒸着膜を合成樹脂フィルムに形成することができる。
【００１６】
また、請求項３に記載の本考案の包装体用広告表示シートによれば、基材シートの金属蒸着膜との対峙部分に黄色の印刷を行うことで、簡単かつ低コストで金属光沢のある金色の印刷を施すことができる。
【図面の簡単な説明】
【００１７】
【図１】本考案の実施例１に係る包装体用広告表示シートの要部拡大断面図である。
【図２】本考案の実施例１に係る包装体用広告表示シートにより作製したボトル容器の包装体の使用状態を示す斜視図である。
【図３】本考案の実施例１に係る包装体用広告表示シートにより作製したボトル容器の包装体の展開図である。
【図４】本考案の実施例１に係る包装体用広告表示シートの要部拡大正面図である。
【考案を実施するための形態】
【００１８】
以下、図１〜図４を参照して、本考案の実施例の包装体用広告表示シートを説明する。ここでは、シャンプーのボトル容器を包装する包装体用の包装体用広告表示シートを例にとる。
【実施例】
【００１９】
図１および図２において、１０は本考案の実施例１に係る包装体用広告表示シート（以下［広告表示シート］という）である。この広告表示シート１０は、シャンプー入りのボトル容器（商品）Ｂを収納する包装体用のものである。
広告表示シート１０は、透明な合成樹脂からなり、かつ表面に所定の広告が印刷された印刷層１１ａを有する基材シート１１と、透明な合成樹脂フィルム１３ａからなり、基材シート１１の裏面に表面を重ね合わせて積層され、かつ裏面にアルミニウム蒸着膜（金属蒸着膜）１２が形成された金属蒸着フィルム１３とを備えている。
【００２０】
以下、図１を参照して、これらの構成部品を具体的に説明する。
基材シート１１は、ＰＰ（ポリプロピレン）〔もしくはＰＥＴ（ポリエチレンテレフタレート）〕からなる厚さ約２００μｍの透明シートである。基材シート１１の表面には、シャンプーの広告がフルカラーでオフセット印刷された印刷層１１ａが形成されている。印刷層１１ａには、その一部に黄色にベタ塗りした黄色印刷部分１６ａを有する。
金属蒸着フィルム１３は、ポリエチレンテレフタレートからなる厚さ約１２μｍの透明な合成樹脂フィルム１３ａをベースとしている。
アルミニウム蒸着膜１２は、合成樹脂フィルム１３ａの裏面全体に厚さ０．０５μｍでアルミニウムを蒸着したものである。
【００２１】
なお、本考案の広告表示シート１０を製造するには、まず表面に印刷が施された基材シート１１と、裏面にアルミニウム蒸着膜１２が形成された金属蒸着フィルム１３とを準備する。
次いで、基材シート１１の印刷面とは反対側（裏面）と、金属蒸着フィルム１３のアルミニウム蒸着膜１２とは反対側（表面）とを、図１に示すように圧着あるいは周知の接着手段を用いて積層する。得られた広告表示シート１０は、図３に示すように使用状態にあわせて、抜き型により打ち抜き加工される。
【００２２】
すなわち、広告表示シート１０を打ち抜き加工することで、図３に示すように、シャンプーが充填されたボトル容器Ｂを収納する包装体１４を組み立てる略蝶形状の筒部組立用シート部１５が形成される。
筒部組立用シート部１５は、主に、上下方向に長い略矩形状の２枚の羽根状シート片１６と、両羽根状シート片１６の対峙する辺の上部間を一体的に連結する一対の第１連結片１７とから構成されている。２枚の羽根状シート片１６は、それぞれシャンプー用のボトル容器Ｂの外周面を略半分割した面積を有したもので、それぞれの上辺が第１連結片１７側へ向かって徐々に下方傾斜している。そのうち、左側の羽根状シート片１６の左辺の長さ方向の中間部と、右側の羽根状シート片１６の右辺の長さ方向の中間部とには、互いに接着される第２の連結片１８が、折り目ａを介して一体的に連結されている。また、右側の羽根状シート片１６の上辺左部には、円板の略下３分の１が欠けた形状の耳片１９が一体形成されている。一対の第１連結片１７は上下方向に細長い短冊形状のシート片で、両第１連結片１７間には上下方向に長い１本の折り目ａが形成されている。２枚の羽根状シート片１６は、耳片１９を除いて、両第１連結片１７の折り目ａを中心にして線対象となっている。
【００２３】
図３に示すように、包装体１４の組み立て時には、両第１連結片１７の折り目ａを中心にして、左側の羽根状シート片１６を右側の羽根状シート片１６に重なるように折り曲げ、両第２の連結片１８を重ね合わせて接着する。
図２に示すように、包装体１４の使用時には、包装体１４にシャンプー用のボトル容器Ｂを差し込む。なお、両耳片１９にはシャンプーであることを表示するシールなどを貼着してもよい。
【００２４】
このように、広告を表面に印刷した透明な合成樹脂からなる基材シート１１の裏面に、裏面全体にアルミニウム蒸着膜１２が形成された金属蒸着フィルム１３を積層して広告表示シート１０を設けたので、印刷されていない透明な部分は銀色に見え、かつ黄色印刷部分１６ａは金色に輝く広告表示シート１０を、箔押しに比べて低コストで製造することができる。
また、金属蒸着膜としてアルミニウム蒸着膜１２を採用したので、簡単かつ低コストでアルミニウム蒸着膜１２を合成樹脂フィルム１３ａに形成することができる。
【００２５】
さらに、上述したように印刷層１１ａのうち、基材シート１１のアルミニウム蒸着膜１２との対峙部分の一部に、黄色印刷部分１６ａを形成したので、基材シート１１の表面の黄色の背後に、それぞれ透明な基材シート１１および合成樹脂フィルム１３ａを通して銀色のアルミニウム蒸着膜１２が見え、あたかも金箔を箔押ししたようになる。これにより、簡単かつ低コストで金属光沢を有した金色の印刷を広告表示シート１０、ひいては梱包体１４に施すことができる。なお、従来の箔押しの場合には、基材シートに印刷されていない透明部分からボトル容器Ｂを視認することができるが、実施例１のものの場合には、それを視認することができない。
【００２６】
なお、図１および図４に示すように、金属蒸着フィルム１３に代えて、金属蒸着フィルム１３のアルミニウム蒸着膜１２に、アルファベットの「Ｂ」（この文字部分は繰返しであってもよい）を装飾した透明抜き部１２ａを形成するパスター加工を施したパスターフィルム１３Ａを採用してもよい。
具体的には、まず金属蒸着フィルム１３のアルミニウム蒸着膜１２の表面に二ス層をシルクスクリーン印刷法により印刷し、その後、金属蒸着フィルム１３をカセイソーダの水溶液に浸漬する。これにより、ニス層が印刷されていない部分のアルミニウム蒸着膜１２が溶解し、金属蒸着フィルム１３の一部に、アルファベットの「Ｂ」を装飾した透明抜き部１２ａが現出する。その後、これを水洗、乾燥することでパスターフィルム１３Ａが形成される。この例では、あらかじめパスター加工された金属蒸着フィルム１３Ａを金属蒸着フィルム１３に代えて使用するものである。
【００２７】
このパスター加工を施すことで、広告表示シート１０に窓枠やワンポイントなど、いろいろな透明デザインを表現することができ、さらに印刷層１１ａとの組合せにより高級感のあるデザイン表現が可能となる。
【産業上の利用可能性】
【００２８】
本考案は、例えばヘアシャンプーやヘアリンス、酒類、飲料水、薬剤（例えば輸液）、菓子（例えばスナック）、雑貨類、釣具、備品などを、袋詰め、ボトル容器詰め、あるいは単にこれらの品を収納する際の包装体の広告表示シートとして有用である。
【符号の説明】
【００２９】
１０    包装体用広告表示シート
１１    基材シート
１１ａ  印刷層
１２    金属蒸着膜
１３    金属蒸着フィルム
１３Ａ  パスターフィルム
１３ａ  合成樹脂フィルム
１６ａ  黄色印刷部分
Ｂ      シャンプー入りのボトル容器（商品）
【図１】
0003169720.tif 000003
【図２】
0003169720.tif 000004
【図３】
0003169720.tif 000005
【図４】
0003169720.tif 000006